(57)【要約】【課題】ユーザに手動作業を行わせることなく、テレビ番組の音声による誤作動を低減させたテレビ受像機を提供する。【解決手段】ＴＶ１は、TV１全体の制御を行う制御部１１と、テレビ放送信号を処理するチューナ１２と、テレビ放送信号から映像信号と音声信号とを分離抽出する映像／音声切換部１３と、ＯＳＤを映像信号に重畳するＯＳＤ処理部１４と、映像信号を表示部１６に出力する映像処理部１５と、映像を表示する表示部１６と、音声信号を音声出力部１８に出力する音声処理部１７と、音声を外部に発生する音声出力部１８と、操作部１９と、エージェントPGを記憶する記憶部２１と、キャラクター画像を記憶するOSD画像メモリ２２と、音声入力手段である音声入力部３０と、入力音声から雑音を除去する音響処理部３１と、音声認識手段である音声認識部３２と、認識結果処理手段である認識結果処理部３３と、記憶手段である記憶部３４と、を備える。【選択図】  図２
2006337513.tif 000002
【特許請求の範囲】
【請求項１】
所望のOSDを表示するOSD表示手段を備えたテレビ受像機において、
ユーザが発声した音声が入力される音声入力手段と、
前記音声入力手段から入力された前記音声を認識する音声認識手段と、
電源のON／OFF、チャンネルの切り替え、又は音量調整等の命令の音声に予め対応付けされた制御コードを記憶する記憶手段と、
前記音声認識手段が認識した前記音声に対応する制御コードを前記記憶手段から読み出す認識結果処理手段と、を備え、
前記記憶手段は、ユーザの命令入力をアシストするエージェントプログラムに定義されるキャラクター画像を前記OSD表示手段でOSD表示するための呼出音声に、予め対応付けされた呼出制御コードを記憶し、
前記音声認識手段が認識した前記呼出音声に対応する前記呼出制御コードを前記認識結果処理手段が前記記憶手段から読み出すと、前記エージェントプログラムを実行して、前記キャラクター画像を前記OSD表示手段に表示させるとともに、前記OSD表示手段が前記キャラクター画像を表示している間、前記認識結果処理手段が読み出す前記制御コードに基づいて、命令を実行するための動作を装置本体各部に指示し、
前記記憶手段は、前記呼出音声を複数用意し、各呼出音声に予め対応付けされた呼出制御コードを記憶し、
前記制御手段は、前記音声認識手段が認識した前記呼出音声に対応する前記呼出制御コードを前記認識結果処理手段が前記記憶手段から読み出すと、該呼出制御コードに対応するエージェントプログラムを実行して、該エージェントプログラムに定義される前記キャラクター画像を前記OSD表示手段に表示させ、
前記制御手段は、前記認識結果処理手段が前記制御コードを一定時間以上読み出さなければ、前記エージェントプログラムを終了して、該エージェントプログラムに定義される前記キャラクター画像を前記OSD表示手段から消去させ、
装置本体を遠隔操作するリモコン装置を備え、
前記リモコン装置は、前記音声入力手段と、前記音声認識手段と、前記記憶手段と、前記認識結果処理手段と、該認識結果処理手段が読み出す前記制御コード又は前記呼出制御コードを送信する送信手段と、を有するテレビ受像機。
【請求項２】
所望のOSDを表示するOSD表示手段を備えたテレビ受像機において、
ユーザが発声した音声が入力される音声入力手段と、
前記音声入力手段から入力された前記音声を認識する音声認識手段と、
電源のON／OFF、チャンネルの切り替え、又は音量調整等の命令の音声に予め対応付けされた制御コードを記憶する記憶手段と、
前記音声認識手段が認識した前記音声に対応する制御コードを前記記憶手段から読み出す認識結果処理手段と、を備え、
前記記憶手段は、ユーザの命令入力をアシストするエージェントプログラムに定義されるキャラクター画像を前記OSD表示手段でOSD表示するための呼出音声に、予め対応付けされた呼出制御コードを記憶し、
前記音声認識手段が認識した前記呼出音声に対応する前記呼出制御コードを前記認識結果処理手段が前記記憶手段から読み出すと、前記エージェントプログラムを実行して、前記キャラクター画像を前記OSD表示手段に表示させるとともに、前記OSD表示手段が前記キャラクター画像を表示している間、前記認識結果処理手段が読み出す前記制御コードに基づいて、命令を実行するための動作を装置本体各部に指示する制御手段を備えたテレビ受像機。
【請求項３】
前記記憶手段は、前記呼出音声を複数用意し、各呼出音声に予め対応付けされた呼出制御コードを記憶し、
前記制御手段は、前記音声認識手段が認識した前記呼出音声に対応する前記呼出制御コードを前記認識結果処理手段が前記記憶手段から読み出すと、該呼出制御コードに対応するエージェントプログラムを実行して、該エージェントプログラムに定義される前記キャラクター画像を前記OSD表示手段に表示させる請求項２に記載のテレビ受像機。
【請求項４】
前記制御手段は、前記認識結果処理手段が前記制御コードを一定時間以上読み出さなければ、前記エージェントプログラムを終了して、該エージェントプログラムに定義される前記キャラクター画像を前記OSD表示手段から消去させる請求項２または３に記載のテレビ受像機。
【請求項５】
装置本体を遠隔操作するリモコン装置を備え、
前記リモコン装置は、前記音声入力手段と、前記音声認識手段と、前記記憶手段と、前記認識結果処理手段と、該認識結果処理手段が読み出す前記制御コード又は前記呼出制御コードを送信する送信手段と、を有する請求項２から４のいずれかに記載のテレビ受像機。
【発明の詳細な説明】
【技術分野】
【０００１】
本発明は、テレビ放送信号等の映像を表示出力するテレビ受像機に関し、特に、ユーザが発声した音声を認識し、該音声により装置本体を制御するテレビ受像機に関するものである。
【背景技術】
【０００２】
入力された音声を認識する音声認識技術には、ワードスポッティングと呼ばれる発話中の音声から単語らしい部分を抜き出す手法や、ＨＭＭ（Ｈｉｄｄｅｎ  Ｍａｒｃｏｖ  Ｍｏｄｅｌ）を用いた連続音声を認識する手法等がある。
【０００３】
従来のテレビ受像機には、該テレビ受像機を遠隔操作する赤外線ワイヤレスリモコンが一般に普及しているが、上記音声認識技術を採用し、音声により該テレビ受像機を遠隔操作するものも存在する。
【０００４】
例えば、ユーザが、電源のON／OFF、チャンネルの切り替え、又は音量調整等の命令の音声を発声すると、従来のテレビ受像機は、該音声をマイクロホンなどで収音し、該音声を認識する。そして、該音声に従って、電源のON／OFF、チャンネルの切り替え、又は音量調整等の命令を実行する。
【０００５】
一方、特許文献１に記載されたようなリモコン装置が提案されている。
【０００６】
このリモコン装置は、ユーザが発声した音声を収音するマイクロホンと、該音声を認識する音声認識手段と、該音声認識手段の音声認識動作を有効又は無効に切替える音声認識スイッチと、を備えている。このリモコン装置は、音声認識スイッチが押下されている時のみ、ユーザが発声した音声を認識し、該音声に従って、テレビ受像機等の非制御装置を遠隔操作するための命令（制御コード）を送信する。
【特許文献１】特開２００１−２７５１７６公報
【発明の開示】
【発明が解決しようとする課題】
【０００７】
しかしながら、従来のテレビ受像機では、音声をマイクロホンによって収音するため、ユーザが発声した音声以外にも、テレビ番組の音声自体を収音してしまうことがある。すると、ユーザの思惑とは異なる音声を認識して、該音声により命令を実行することになるため、従来のテレビ受像機では、しばしば誤作動が生じていた。
【０００８】
また、特許文献１では、音声認識スイッチが押下されている時のみ、ユーザが発声した音声を認識しているが、これは、ユーザに該スイッチを押下させるという手動作業を行わせている。つまり、ユーザは、電源のON／OFF、チャンネルの切り替え、又は音量調整等の命令毎に手動作業を行わなければならず、ユーザに煩わしさを感じさせてしまう。また、ユーザにこのような手動作業を行わせてしまっては、「音声によりテレビ受像機を遠隔操作する」という目的から外れてしまい、何ら赤外線ワイヤレスリモコンと変わらなくなってしまう。
【０００９】
本発明はこのような従来の課題を解決しようとするものであり、ユーザに手動作業を行わせることなく、テレビ番組の音声による誤作動を低減させたテレビ受像機を提供することを目的とする。
【課題を解決するための手段】
【００１０】
本発明のテレビ受像機は、前記課題を解決するために以下の構成を備えている。
（１）所望のOSDを表示するOSD表示手段を備えたテレビ受像機において、
ユーザが発声した音声が入力される音声入力手段と、
前記音声入力手段から入力された前記音声を認識する音声認識手段と、
電源のON／OFF、チャンネルの切り替え、又は音量調整等の命令の音声に予め対応付けされた制御コードを記憶する記憶手段と、
前記音声認識手段が認識した前記音声に対応する制御コードを前記記憶手段から読み出す認識結果処理手段と、を備え、
前記記憶手段は、ユーザの命令入力をアシストするエージェントプログラムに定義されるキャラクター画像を前記OSD表示手段でOSD表示するための呼出音声に、予め対応付けされた呼出制御コードを記憶し、
前記音声認識手段が認識した前記呼出音声に対応する前記呼出制御コードを前記認識結果処理手段が前記記憶手段から読み出すと、前記エージェントプログラムを実行して、前記キャラクター画像を前記OSD表示手段に表示させるとともに、前記OSD表示手段が前記キャラクター画像を表示している間、前記認識結果処理手段が読み出す前記制御コードに基づいて、命令を実行するための動作を装置本体各部に指示する制御手段を備える。
【００１１】
この構成において、音声入力手段は、ユーザが発声した音声を収音可能であり、例えばマイクロホンで構成される。音声入力手段は、必ずしもテレビ受像機の筐体内部にある必要はなく、筐体外部にあってもよい。
【００１２】
また、呼出音声は、キャラクターの名前にすると良い。キャラクターの名前は、例えばテレビくん、テレビさん、又はテレビマンである。
【００１３】
また、エージェントプログラムには、キャラクター画像をOSD表示させるだけでなく、ユーザからの命令にキャラクターがメッセージで応答する形式を採用してもよい。
【００１４】
上記制御手段は、OSD表示手段が前記キャラクター画像を表示している間、認識結果処理手段が読み出す制御コードに基づいて、命令を実行するための動作を装置本体各部に指示する。
【００１５】
そのため、ユーザが「キャラクターの名前」を発声し、キャラクターを画面上に登場させない限り、テレビ番組（又はユーザ）から「コマンド名」だけが発声されても、制御手段は、該コマンド名に対応する制御コードに基づいて、命令（コマンド）を実行するための動作を装置本体各部に指示することがない。つまり、テレビ番組から「はっちゃんねる（８CH）」というような音声だけが発声されても、チャンネルが８に変わることがない。一方、ユーザがチャンネルの切り替えをテレビ受像機に命令するには、例えば「テレビさん、はっちゃんねる（８CH）」と発声すればよい。
【００１６】
以上により、ユーザに手動作業を行わせることなく、テレビ番組の音声による誤作動を低減させることができる。
【００１７】
また、ユーザは、表示されるキャラクターとの対話形式により、命令を発声することができる。
（２）前記記憶手段は、前記呼出音声を複数用意し、各呼出音声に予め対応付けされた呼出制御コードを記憶し、
前記制御手段は、前記音声認識手段が認識した前記呼出音声に対応する前記呼出制御コードを前記認識結果処理手段が前記記憶手段から読み出すと、該呼出制御コードに対応するエージェントプログラムを実行して、該エージェントプログラムに定義される前記キャラクター画像を前記OSD表示手段に表示させる。
【００１８】
この構成において、エージェントプログラムは複数用意されている。このため、エージェントプログラムに定義されるキャラクターも複数用意する。
【００１９】
この構成では、家族内において、例えば、親はエージェントプログラムA、子供はエージェントプログラムBというように、エージェントプログラムを割り当てることを想定している。
【００２０】
そして、例えば、エージェントプログラムAでは、あらゆる番組を視聴することができるが、エージェントプログラムBでは、いわゆるアダルト番組などの有害番組を視聴することができないように視聴制限をかける。これにより、子供は有害番組を視聴することができなくなる。
【００２１】
上記視聴制限を行う手法として、パスワードによる認証を行うと良い。詳述すると、あらゆる番組を視聴可能なエージェントプログラムAのキャラクター画像を上記OSD表示手段に表示させた後即、制御手段は、パスワード入力要求画面をOSD表示手段に表示させ、ユーザにパスワードを入力（発声）させると良い。つまり、ユーザは「キャラクターの名前」「パスワード」「コマンド名」の順に発声することになる。
【００２２】
そして、入力されたパスワードが適正であると判定すれば、制御手段は、OSD表示手段がキャラクター画像を表示している間、認識結果処理手段が読み出す制御コードに基づいて、命令を実行するための動作を装置本体各部に指示する。
【００２３】
逆に、入力されたパスワードが適正でなければ、制御手段は、エージェントプログラムを終了して、該エージェントプログラムに定義されるキャラクター画像をOSD表示手段から消去させる。
【００２４】
また、エージェントプログラムの設定は変更できるようにしておく。該設定変更は、例えば、上記パスワードの変更、キャラクターの変更、又はキャラクター名の変更である。エージェントプログラムの設定を変更する際にも、制御手段が、パスワード入力要求画面をOSD表示手段に表示させ、ユーザにパスワードを入力（発声）させると良い。
【００２５】
以上より、家族のメンバーに応じてエージェントプログラム（キャラクター）を使い分けることができる。それに伴ない、子供の視聴する番組に制限をかけることができる。
（３）前記制御手段は、前記認識結果処理手段が前記制御コードを一定時間以上読み出さなければ、前記エージェントプログラムを終了して、該エージェントプログラムに定義される前記キャラクター画像を前記OSD表示手段から消去させる。
【００２６】
この構成において、一定時間は、予め設定する時間であり、例えば１０秒である。一定時間が短すぎると、命令毎にユーザがキャラクター名を発声しなければならなくなり、長すぎると、テレビ番組の音声による誤作動が起こりやすくなる。
【００２７】
誤作動が起こりやすくなる理由は、OSD表示手段がキャラクター画像を表示している間、テレビ番組から「はっちゃんねる（８CH）」というような音声が発声されるだけで、チャンネルが８に変わってしまうためである。
（４）装置本体を遠隔操作するリモコン装置を備え、
前記リモコン装置は、前記音声入力手段と、前記音声認識手段と、前記記憶手段と、前記認識結果処理手段と、該認識結果処理手段が読み出す前記制御コード又は前記呼出制御コードを送信する送信手段と、を有する。
【００２８】
この構成においては、ユーザは、リモコン装置の音声入力手段に音声を発声することになる。
【発明の効果】
【００２９】
この発明によれば、ユーザに手動作業を行わせることなく、テレビ番組の音声による誤作動を低減させることができる。
【発明を実施するための最良の形態】
【００３０】
以下、本発明の第一の実施形態であるテレビジョンについて説明する。
【００３１】
図１は、ユーザがキャラクターを呼び出す時の様子を表した概念図である。
【００３２】
ＴＶ（テレビジョン）１は、映像を表示するＣＲＴ１６Aと、音声を収音するマイクロホン等の音声入力部３０と、を備えている。
【００３３】
ユーザ２が、「テレビくん」と、キャラクター名前を発声すると、ＴＶ１は、キャラクター３の画像をＣＲＴ１６A上にOSD表示する。キャラクター３は、ユーザからの問いかけにメッセージで応答している。
【００３４】
次に、ユーザ２が、「いっちゃん（１CH）」と、コマンド名を発声することにより、ＴＶ１は、チャンネルを１に切り替える。
【００３５】
このように、ユーザ２は、表示されるキャラクター３との対話形式により、ＴＶ１を遠隔制御する。
【００３６】
図２は、本発明の第一の実施形態であるテレビジョンの主要な構成を示すブロック図である。
【００３７】
ＴＶ１は、TV１全体の制御を行う制御部１１と、テレビ放送信号を処理するチューナ１２と、テレビ放送信号から映像信号と音声信号とを分離抽出する映像／音声切換部１３と、所望のＯＳＤを映像信号に重畳するＯＳＤ処理部１４と、映像信号を表示部１６に出力する映像処理部１５と、ＣＲＴ１６Aで映像を表示する表示部１６と、音声信号を増幅し音声出力部１８に出力する音声処理部１７と、音声を外部に発生する音声出力部１８と、ユーザが音量の調整等を行う操作部１９と、エージェントプログラムを記憶する記憶部２１と、キャラクター画像を記憶するOSD画像メモリ２２と、を備えている。
【００３８】
さらに、ＴＶ１は、音声入力手段である音声入力部３０と、該音声入力部３０で入力された音声から雑音を除去する音響処理部３１と、音声認識手段である音声認識部３２と、認識結果処理手段である認識結果処理部３３と、記憶手段である記憶部３４と、を備えている。
【００３９】
操作部１９に対し、電源のON／OFF、チャンネルの切り替え、音量の調整等の命令（コマンド）が入力されると、操作部１９は、該命令を制御部１１に伝送する。
【００４０】
チューナ１２は、アンテナ２０で受信しているテレビ放送信号から選択されているチャンネルのテレビ放送信号を抽出し、出力する。
【００４１】
映像／音声切換部１３は、チューナ１２から出力されたテレビ放送信号を、映像信号と音声信号とに分離抽出し、出力する。
【００４２】
映像／音声切換部１３から出力された映像信号は、ＯＳＤ処理部１４を介して、映像処理部１５に入力される。
【００４３】
ＯＳＤ処理部１４は、制御部１１から与えられる制御信号に基づいて、OSD画像メモリ２２に記憶されているキャラクター画像や該キャラクターの応答メッセージを映像信号に重畳する。OSD画像メモリ２２は、例えばROMで構成される。また、キャラクター画像には、図１に示すキャラクター３の画像も含まれる。
【００４４】
映像処理部１５は、映像／音声切換部１３が出力した映像信号を出力し、表示部１６は映像を表示する。
【００４５】
音声処理部１７は、映像／音声切換部１３が出力した音声信号の増幅を行って音声出力部１８に出力する。そして、音声出力部１８は音声を外部に発生する。音声出力部１８は、例えばスピーカである。
【００４６】
TV１の各部には、不図示の電源部から電源が供給されている。この電源部の入力は、商用電源（例えばAC１００V）である。
【００４７】
ここで、ＯＳＤ処理部１４、映像処理部１５、表示部１６、及びOSD画像メモリ２２が、本発明の「ＯＳＤ表示手段」に相当する。
【００４８】
一方、音声入力部３０は、ユーザが発声した音声を収音可能であり、例えばマイクロホンで構成される。音声入力部３０は、テレビ番組の音声、ユーザが発声した音声（以下、「ユーザ音声」と称する）又は周囲の雑音からなる音声が入力されると、該音声を音声信号に変換して音響処理部３１へ出力する。
【００４９】
音響処理部３１は、音声入力部３０から出力された音声信号からノイズキャンセルにより雑音を除去し、音声認識部３２へ出力する。
【００５０】
音声認識部３２は、音響処理部３１から出力された音声信号を用いてユーザ音声の認識を行い、認識したユーザ音声に対応する単語（データ）を認識結果処理部３３へ出力する。
【００５１】
図３は、記憶部３４に記憶されている単語と該単語に対応する制御コードおよび呼出制御コードとの対応関係を示す図である。
【００５２】
記憶部３４は、例えばROMで構成される。記憶部３４に記憶されている内容を更新するのであれば、例えばEEPROMで構成する。
【００５３】
記憶部３４は、図３に示すように、単語と該単語に対応する制御コードおよび呼出制御コードとの対応関係を表にして記憶している。詳述すると、記憶部３４は、電源のON／OFF、チャンネルの切り替え、又は音量調整等の命令の音声（単語）に予め対応付けされた制御コードを記憶している。さらに、記憶部３４は、ユーザの命令入力をアシストするエージェントプログラムに定義されるキャラクター画像をOSD表示するための呼出音声（単語）に、予め対応付けされた呼出制御コードを記憶している。
【００５４】
なお、呼出音声は、キャラクターの名前にすると良い。キャラクターの名前は、例えばテレビくん、テレビさん、又はテレビマンである。
【００５５】
認識結果処理部３３は、音声認識部３２が出力した単語（データ）に基づいて、記憶部３４に記憶されている表から、該単語に対応する制御コード又は呼出制御コードを検索し（読み出し）、検索したコードを制御部１１に出力する。例えば、音声認識部３２が出力した単語が「テレビくん」であれば、認識結果処理部３３は、呼出制御コード「００００００００１１」を制御部１１に出力する。音声認識部３２が出力した単語が「いっちゃん」であれば、認識結果処理部３３は、制御コード「１１０００００１１１」を制御部１１に出力する。
【００５６】
図４は、記憶部２１に記憶されている呼出制御コードと該呼出制御コードに対応するエージェントプログラムとの対応関係を示す図である。
【００５７】
記憶部２１は、例えばROMで構成される。記憶部２１に記憶されている内容を更新するのであれば、例えばEEPROMで構成する。
【００５８】
記憶部２１は、図４に示すように、呼出制御コードと該呼出制御コードに対応するエージェントプログラムとの対応関係を表にして記憶している。記憶部２１は、エージェントプログラムを複数記憶している。そして、エージェントプログラムに定義されるキャラクターも複数記憶している。該キャラクターの画像は、OSD画像メモリ２２に記憶されている。
【００５９】
エージェントプログラムを複数用意しているのは、家族内において、例えば、親はエージェントプログラムA、子供はエージェントプログラムBというように、エージェントプログラムを割り当てることを想定している。
【００６０】
なお、エージェントプログラムの設定は変更できるようにしておくと良い。該設定変更は、例えば、後述のパスワードの変更、キャラクターの変更、又はキャラクター名の変更である。エージェントプログラムの設定を変更する際、制御部１１が、パスワード入力要求画面をCRT１６A上に表示させ、ユーザにパスワードを入力（発声）させると良い。パスワード入力要求画面は、OSD画像メモリ２２に記憶させておき、OSD処理部１４が該パスワード入力要求画面を映像信号に重畳する。
【００６１】
以上より、家族のメンバーに応じてエージェントプログラム（キャラクター）を使い分けることができる。
【００６２】
図５は、本発明の第一の実施形態であるテレビジョンにおいて制御部が行う動作を示すフローチャートである。
【００６３】
制御部１１は、ユーザ２がキャラクターを呼び出しているか否か判定する（ｓ１）。この判定は、認識結果処理部３３が呼出制御コードを出力しているか否かにより判定する。認識結果処理部３３が呼出制御コードを出力してなければ、ｓ１に戻り処理を継続する。つまり、認識結果処理部３３がコードを出力していても、該コードが制御コードであれば、制御部１１は、該制御コードを無視する。
【００６４】
そのため、ユーザ２が「キャラクターの名前」を発声し、キャラクターをCRT１６A上に登場させない限り、テレビ番組（又はユーザ）から「コマンド名」だけが発声されても、制御部１１は、該コマンド名に対応する制御コードに基づいて、命令（コマンド）を実行するための動作を装置本体各部に指示することがない。つまり、テレビ番組から「はっちゃんねる（８CH）」というような音声だけが発声されても、チャンネルが８に変わることがない。一方、ユーザ２がチャンネルの切り替えをテレビ受像機に命令するには、例えば「テレビくん、はっちゃんねる（８CH）」と発声すればよい。
【００６５】
認識結果処理部３３が出力したコードが呼出制御コードであれば、制御部１１は、記憶部２１に記憶されている表から（図４参照）、該呼出制御コードに対応するエージェントプログラムを検索し、検索したエージェントプログラムを実行する（ｓ２）。例えば、認識結果処理部３３が出力したコードが呼出制御コード「００００００００１１」であれば、制御部１１は、エージェントプログラムAを実行する。エージェントプログラムAに定義されるキャラクターは、テレビくんである。
【００６６】
エージェントプログラムが起動すると、制御部１１は、該エージェントプログラムに従って、該エージェントプログラムに定義されるキャラクター画像及びキャラクターの応答メッセージをOSD表示することをOSD処理部１４に指示する。
【００６７】
OSD処理部１４は、この指示に基づいて、OSD画像メモリ２２に記憶されているキャラクター画像及びキャラクターの応答メッセージを映像信号に重畳する。すると、例えば、図１に示すようなキャラクター３の画像及びキャラクター３の応答メッセージが、CRT１６Aに表示される。
【００６８】
次に、制御部１１は、電源のON／OFF、チャンネルの切り替え、又は音量調整等の命令（コマンド）が入力されたか否か判定する（ｓ３）。この判定は、認識結果処理部３３から制御コードが出力されてくるか否かにより判定する。命令（コマンド）が入力されたと判定すると、制御部１１は、該命令を実行するための動作を装置本体各部に指示する（ｓ６）。例えば、認識結果処理部３３が出力したコードが制御コード「１１０００００１１１」であれば、制御部１１は、チャンネルを１に設定し、選択されているチャンネルが１であることをチューナ１２に指示する。
【００６９】
ｓ３において、命令（コマンド）が入力されていないと判定すると、制御部１１は、認識結果処理部３３が制御コードを最後に読み出してから、一定時間以上経過したか否か判定する（ｓ４）。一定時間以上経過していないと判定すると、ｓ３に戻り処理を継続する。
【００７０】
なお、一定時間は、予め設定する時間であり、例えば１０秒である。一定時間が短すぎると、命令毎にユーザ２がキャラクター名を発声しなければならなくなり、長すぎると、テレビ番組の音声による誤作動が起こりやすくなる。
【００７１】
誤作動が起こりやすくなる理由は、CRT１６Aがキャラクター画像を表示している間、テレビ番組から「はっちゃんねる（８CH）」というような音声が発声されるだけで、チャンネルが８に変わってしまうためである。
【００７２】
ｓ４において、認識結果処理部３３が制御コードを一定時間以上読み出さなければ、制御部１１は、エージェントプログラムを終了し（ｓ５）、本処理を終了する。
【００７３】
制御部１１は、エージェントプログラムの終了動作に従って、該エージェントプログラムに定義されるキャラクターの画像及びキャラクターの応答メッセージを消去させることをOSD処理部１４に指示する。
【００７４】
ＯＳＤ処理部１４は、この指示に基づいて、OSD画像メモリ２２に記憶されているキャラクターの画像及びキャラクターの応答メッセージを映像信号に重畳することをやめる。すると、例えば、図１に示すようなキャラクター３の画像及びキャラクター３の応答メッセージが、CRT１６Aから消去される。
【００７５】
以上により、ユーザ２に手動作業を行わせることなく、テレビ番組の音声による誤作動を低減させることができる。
【００７６】
また、ユーザ２は、表示されるキャラクターとの対話形式により、命令を発声することができる。
【００７７】
以下、本発明の第二の実施形態であるテレビジョンについて説明する。
【００７８】
この実施形態のテレビジョンの構成は、図２のTV１と共通する。
【００７９】
図６は、本発明の第二の実施形態であるテレビジョンにおいて制御部が行う動作を示すフローチャートである。同制御部が行う動作は、図５のｓ２の処理とｓ３の判断との間に、ｓ１７の判断を追加した動作である。
【００８０】
図６の動作では、エージェントプログラムAは、あらゆる番組を視聴することができ、エージェントプログラムBは、いわゆるアダルト番組などの有害番組を視聴することができないように視聴制限をかけて、実施することを想定している。
【００８１】
そして、上記視聴制限を行うため、あらゆる番組を視聴可能なエージェントプログラムAが実行された（ｓ２）場合、以下の手順でパスワード認証を行う。エージェントプログラムAには、自己が起動した場合、キャラクター３（「テレビくん」）の画像をCRT１６A上に表示させ、その後パスワードを要求する旨を予め記述しておく。
【００８２】
エージェントプログラムAが起動すると、まず、制御部１１は、エージェントプログラムAに従って、エージェントプログラムAのキャラクター３（「テレビくん」）の画像をCRT１６A上にOSD表示させることをOSD処理部１４に指示し、キャラクター３をCRT１６A上にOSD表示させる。
【００８３】
その後即、制御部１１は、エージェントプログラムAに従って、パスワード入力要求画面をCRT１６A上にOSD表示させることをOSD処理部１４に指示し、該パスワード入力要求画面をCRT１６A上にOSD表示させる。そして、ユーザ２にパスワードを入力（発声）させる。つまり、ユーザ２は「キャラクターの名前」「パスワード」「コマンド名」の順に発声することになる。
【００８４】
なお、パスワード入力要求画面は、OSD画像メモリ２２に記憶させておき、OSD処理部１４が該パスワード入力要求画面を映像信号に重畳する。該パスワード入力要求画面は、キャラクター３の近くにOSD表示させると良い。
【００８５】
そして、制御部１１は、入力されたパスワードが適正であるか否か判定する（ｓ１７）。
【００８６】
入力されたパスワードが適正であると判定すれば、制御部１１は、ｓ３に進み処理を継続する。
【００８７】
逆に、入力されたパスワードが適正でなければ、制御部１１は、エージェントプログラムAを終了し（ｓ５）、本処理を終了する。制御部１１は、エージェントプログラムAの終了動作に従って、該エージェントプログラムAに定義されるキャラクター３の画像を消去させることをOSD処理部１４に指示する。
【００８８】
なお、この実施形態では、ｓ５において、パスワードが違った場合エージェントプログラムAを終了させることにより視聴制限を行ったが、有害番組のチャンネルコマンドを制御部１１に無視させても良い。
【００８９】
以上より、子供の視聴する番組に制限をかけることができる。
【００９０】
以下、本発明の第三の実施形態であるテレビジョンについて説明する。
【００９１】
図７は、本発明の第三の実施形態であるテレビジョンの外観図、図８は、同テレビジョンの主要な構成を示すブロック図である。
【００９２】
図７及び図８のTV１０１が、図２のTV１と構成において相違する点は、音声入力部３０を筐体外部に設けた点である。
【００９３】
図７及び図８のTV１０１の動作は、図２のTV１と共通する。
【００９４】
以下、本発明の第四の実施形態であるテレビジョンについて説明する。
【００９５】
図９は、本発明の第四の実施形態であるテレビジョンの外観図、図１０は、同テレビジョンの主要な構成を示すブロック図である。
【００９６】
図９及び図１０のTV２０１が、図２のTV１と構成において相違する点は、TV２０１を遠隔制御するリモコン装置１００と、該リモコン装置１００（送信部３５）からの制御コード又は呼出制御コードを受信する受信部２３と、を設けた点である。
【００９７】
リモコン装置１００は、音声入力部３０と、音響処理部３１と、音声認識部３２と、認識結果処理部３３と、記憶部３４と、該認識結果処理部３３が読み出す制御コード又は呼出制御コードを送信する送信部３５と、を有する。
【００９８】
この実施形態においては、ユーザ２は、リモコン装置１００の音声入力部３０に音声を発声することになる。
【００９９】
ここで、TV２０１およびリモコン装置１００が、本発明の「テレビ受像機」に相当する。
【０１００】
図９及び図１０のTV２０１の動作は、図２のTV１と共通する。
【図面の簡単な説明】
【０１０１】
【図１】ユーザがキャラクターを呼び出す時の様子を表した概念図
【図２】本発明の第一の実施形態であるテレビジョンの主要な構成を示すブロック図
【図３】記憶部３４に記憶されている単語と該単語に対応する制御コードおよび呼出制御コードとの対応関係を示す図
【図４】記憶部２１に記憶されている呼出制御コードと該呼出制御コードに対応するエージェントプログラムとの対応関係を示す図
【図５】本発明の第一の実施形態であるテレビジョンにおいて制御部が行う動作を示すフローチャート
【図６】本発明の第二の実施形態であるテレビジョンにおいて制御部が行う動作を示すフローチャート
【図７】本発明の第三の実施形態であるテレビジョンの外観図
【図８】本発明の第三の実施形態であるテレビジョンの主要な構成を示すブロック図
【図９】本発明の第四の実施形態であるテレビジョンの外観図
【図１０】本発明の第四の実施形態であるテレビジョンの主要な構成を示すブロック図
【符号の説明】
【０１０２】
１−テレビジョン
２−ユーザ
３−キャラクター
１１−制御部
１２−チューナ
１３−映像／音声切替部
１４−OSD処理部
１５−映像処理部
１６−表示部
１７−音声処理部
１８−音声出力部
１９−操作部
２０−アンテナ
２１−記憶部
２２−OSD画像メモリ
２３−受信部
３０−音声入力部
３１−音響処理部
３２−音声認識部
３３−認識結果処理部
３４−記憶部
１００−リモコン装置
１０１−テレビジョン
２０１−テレビジョン
【図１】
2006337513.tif 000003
【図２】
2006337513.tif 000004
【図３】
2006337513.tif 000005
【図４】
2006337513.tif 000006
【図５】
2006337513.tif 000007
【図６】
2006337513.tif 000008
【図７】
2006337513.tif 000009
【図８】
2006337513.tif 000010
【図９】
2006337513.tif 000011
【図１０】
2006337513.tif 000012